【手続補正書】
【提出日】平成20年3月5日(2008.3.5)
【手続補正１】
【補正対象書類名】明細書
【補正対象項目名】特許請求の範囲
【補正方法】変更
【補正の内容】
【特許請求の範囲】
【請求項１】遊技球を入賞検知する普通電動役物作動口と、
前記普通電動役物作動口に遊技球が入賞検知されると、開放する普通電動役物を有する入球装置と、
前記入球装置内の所定の図柄始動スイッチにより遊技球が検知されると、図柄を変動させて図柄組み合わせゲームを行う図柄表示装置と、
前記図柄表示装置において、所定の図柄組み合わせが表示されたことを契機に開放して遊技球の入賞が可能となる大入賞口と、
遊技領域に発射された遊技球の落下方向を誘導又は規制するように配置された遊技釘群と、を遊技盤前面に形成された遊技領域内に備え、
前記大入賞口を開放させるまでに、遊技球をどの順番で前記普通電動役物作動口及び前記入球装置へ入賞させればよいかを一連の手順として示した前記遊技手順情報が機前面側から視認可能に表示された遊技機において、
機前面側に、前記普通電動役物作動口、前記入球装置及び前記大入賞口のうち、操作されることによりいずれかを狙って遊技球が入るように遊技球を打球する発射装置を備え、
遊技盤の前面周辺部に敷設された内レールの発射口から前記普通電動役物作動口への遊技球の流下経路上及び前記内レールの発射口から前記入球装置への遊技球の流下経路上には、前記遊技手順情報が遊技盤に印刷されている、又は当該遊技手順情報が示されるシールが貼付されていると共に、その先端が前記普通電動役物作動口及び前記入球装置を指し示す矢印が遊技盤にそれぞれ印刷されている又はシールとしてそれぞれ貼付されていることを特徴とする遊技機。
【請求項２】遊技球を入賞検知する普通電動役物作動口と、
前記普通電動役物作動口に遊技球が入賞検知されると、開放する普通電動役物を有する入球装置と、
前記入球装置内の所定の図柄始動スイッチにより遊技球が検知されると、図柄を変動させて図柄組み合わせゲームを行う図柄表示装置と、
前記図柄表示装置において、所定の図柄組み合わせが表示されたことを契機に開放して遊技球の入賞が可能となる大入賞口と、
遊技領域に発射された遊技球の落下方向を誘導又は規制するように配置された遊技釘群と、を遊技盤前面に形成された遊技領域内に備え、
前記大入賞口を開放させるまでに、遊技球をどの順番で前記普通電動役物作動口及び前記入球装置へ入賞させればよいかを一連の手順として示した遊技手順情報が機前面側から視認可能に表示された遊技機において、
機前面側に、前記普通電動役物作動口、前記入球装置及び前記大入賞口のうち、操作されることによりいずれかを狙って遊技球が入るように遊技球を打球する発射装置と、
前記遊技盤を透視保護する板ガラスを備え、
遊技盤の前面周辺部に敷設された内レールの発射口から前記普通電動役物作動口への遊技球の流下経路上及び前記内レールの発射口から前記入球装置への遊技球の流下経路上には、前記遊技手順情報が前記板ガラスに埋め込まれていると共に、その先端が前記普通電動役物作動口及び前記入球装置を指し示す矢印が前記板ガラスにそれぞれ埋め込まれていることを特徴とする遊技機。
【請求項３】前記遊技手順情報及び前記矢印は、機前面側から見た場合、前記遊技釘群を避けるように表示されている請求項１又は請求項２に記載の遊技機。
【請求項４】前記遊技手順情報は、遊技手順を示す番号，記号，文字のうち少なくともいずれか１つである請求項１〜請求項３のうちいずれか一項に記載の遊技機。
【手続補正２】
【補正対象書類名】明細書
【補正対象項目名】０００７
【補正方法】変更
【補正の内容】
【０００７】
【課題を解決するための手段】
上記問題点を解決するために、請求項１に記載の発明は、遊技球を入賞検知する普通電動役物作動口と、前記普通電動役物作動口に遊技球が入賞検知されると、開放する普通電動役物を有する入球装置と、前記入球装置内の所定の図柄始動スイッチにより遊技球が検知されると、図柄を変動させて図柄組み合わせゲームを行う図柄表示装置と、前記図柄表示装置において、所定の図柄組み合わせが表示されたことを契機に開放して遊技球の入賞が可能となる大入賞口と、遊技領域に発射された遊技球の落下方向を誘導又は規制するように配置された遊技釘群と、を遊技盤前面に形成された遊技領域内に備え、前記大入賞口を開放させるまでに、遊技球をどの順番で前記普通電動役物作動口及び前記入球装置へ入賞させればよいかを一連の手順として示した前記遊技手順情報が機前面側から視認可能に表示された遊技機において、機前面側に、前記普通電動役物作動口、前記入球装置及び前記大入賞口のうち、操作されることによりいずれかを狙って遊技球が入るように遊技球を打球する発射装置を備え、遊技盤の前面周辺部に敷設された内レールの発射口から前記普通電動役物作動口への遊技球の流下経路上及び前記内レールの発射口から前記入球装置への遊技球の流下経路上には、前記遊技手順情報が遊技盤に印刷されている、又は当該遊技手順情報が示されるシールが貼付されていると共に、その先端が前記普通電動役物作動口及び前記入球装置を指し示す矢印が遊技盤にそれぞれ印刷されている又はシールとしてそれぞれ貼付されていることを要旨とする。
【手続補正３】
【補正対象書類名】明細書
【補正対象項目名】０００８
【補正方法】変更
【補正の内容】
【０００８】
請求項２に記載の発明は、遊技球を入賞検知する普通電動役物作動口と、前記普通電動役物作動口に遊技球が入賞検知されると、開放する普通電動役物を有する入球装置と、前記入球装置内の所定の図柄始動スイッチにより遊技球が検知されると、図柄を変動させて図柄組み合わせゲームを行う図柄表示装置と、前記図柄表示装置において、所定の図柄組み合わせが表示されたことを契機に開放して遊技球の入賞が可能となる大入賞口と、遊技領域に発射された遊技球の落下方向を誘導又は規制するように配置された遊技釘群と、を遊技盤前面に形成された遊技領域内に備え、前記大入賞口を開放させるまでに、遊技球をどの順番で前記普通電動役物作動口及び前記入球装置へ入賞させればよいかを一連の手順として示した遊技手順情報が機前面側から視認可能に表示された遊技機において、機前面側に、前記普通電動役物作動口、前記入球装置及び前記大入賞口のうち、操作されることによりいずれかを狙って遊技球が入るように遊技球を打球する発射装置と、前記遊技盤を透視保護する板ガラスを備え、遊技盤の前面周辺部に敷設された内レールの発射口から前記普通電動役物作動口への遊技球の流下経路上及び前記内レールの発射口から前記入球装置への遊技球の流下経路上には、前記遊技手順情報が前記板ガラスに埋め込まれていると共に、その先端が前記普通電動役物作動口及び前記入球装置を指し示す矢印が前記板ガラスにそれぞれ埋め込まれていることを要旨とする。
【手続補正４】
【補正対象書類名】明細書
【補正対象項目名】０００９
【補正方法】変更
【補正の内容】
【０００９】
請求項３に記載の発明は、請求項１又は請求項２に記載の遊技機において、前記遊技手順情報及び前記矢印は、機前面側から見た場合、前記遊技釘群を避けるように表示されていることを要旨とする。
【手続補正５】
【補正対象書類名】明細書
【補正対象項目名】００１０
【補正方法】変更
【補正の内容】
【００１０】
請求項４に記載の発明は、請求項１〜請求項３のうちいずれか一項に記載の遊技機において、前記遊技手順情報は、遊技手順を示す番号，記号，文字のうち少なくともいずれか１つであることを要旨とする。
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】削除
【補正の内容】